(57)【要約】【課題】デジタル放送によって提供された情報を印刷するとともに、印刷された情報に基づいて手書き等によって作成した情報を情報提供者に対して返信することができるようにする。【解決手段】画像データを所定の用紙に印刷する印刷手段と、画像データが印刷された用紙に手書きで記入された文字およびマークの少なくともいずれか一方を読み取る読み取り手段と、読み取り手段によって読み取られた文字およびマークの少なくともいずれかに基づいて解答データを生成するためのテンプレートを記憶するテンプレート記憶手段と、テンプレート記憶手段によって記憶されているテンプレートに基づいて解答データを生成する生成手段とを備える。【選択図】      図１
2004287206.tif 000002
【特許請求の範囲】
【請求項１】
画像データを出力し、前記画像データに対して付加された情報に基づいて生成された解答データを出力する情報処理装置であって、
画像データを出力する出力手段と、
前記画像データに対して付加された情報を読み取る読み取り手段と、
前記読み取り手段によって読み取られた前記情報に基づいて解答データを生成するためのテンプレートを記憶するテンプレート記憶手段と、
前記テンプレート記憶手段によって記憶されている前記テンプレートに基づいて前記解答データを生成する生成手段と
を備えることを特徴とする情報処理装置。
【請求項２】
画像データを所定の用紙に印刷し、前記用紙に記録された情報に基づいて生成された解答データを出力する情報処理装置であって、
画像データを所定の用紙に印刷する印刷手段と、
前記画像データが印刷された前記用紙に記録された文字およびマークの少なくともいずれか一方を読み取る読み取り手段と、
前記読み取り手段によって読み取られた前記文字およびマークの少なくともいずれかに基づいて解答データを生成するためのテンプレートを記憶するテンプレート記憶手段と、
前記テンプレート記憶手段によって記憶されている前記テンプレートに基づいて前記解答データを生成する生成手段と
を備えることを特徴とする情報処理装置。
【請求項３】
前記画像データを記憶する画像データ記憶手段をさらに備える
ことを特徴とする請求項２に記載の情報処理装置。
【請求項４】
前記画像データおよび所定のＵＲＬ情報を受信する受信手段と、
前記受信手段によって受信された前記ＵＲＬ情報に基づいて所定のサーバにネットワークを介してアクセスし、前記サーバから前記ネットワークを介して前記画像データを取得する画像取得手段と、
前記サーバに前記ネットワークを介して前記解答データを返信する返信手段と
をさらに備えることを特徴とする請求項２または３に記載の情報処理装置。
【請求項５】
前記用紙の画像を取り込み、前記画像に対応するイメージデータを出力する画像取り込み手段をさらに備える
ことを特徴とする請求項２乃至４のいずれかに記載の情報処理装置。
【請求項６】
前記返信手段は、前記解答データを前記サーバに返信したとき、前記サーバから時刻情報を受け取り、前記時刻情報で表される時刻に前記サーバの所定のＵＲＬにアクセスし、前記解答データに対応する結果情報を取得する
ことを特徴とする請求項２乃至５のいずれかに記載の情報処理装置。
【請求項７】
前記返信手段は、前記解答データを前記サーバに返信したとき、前記サーバから時系列情報を受け取り、前記時系列情報で表される順番に前記サーバの所定のＵＲＬにアクセスし、前記解答データに対応する結果情報を取得する
ことを特徴とする請求項２乃至５のいずれかに記載の情報処理装置。
【請求項８】
画像データを出力し、前記画像データに対して付加された情報に基づいて生成された解答データを出力する情報処理方法であって、
画像データを出力する出力ステップと、
前記画像データに対して付加された情報を読み取る読み取りステップと、
前記読み取りステップにおいて読み取られた前記情報に基づいて解答データを生成するためのテンプレートを記憶するテンプレート記憶ステップと、
前記テンプレート記憶ステップにおいて記憶された前記テンプレートに基づいて前記解答データを生成する生成ステップと
を備えることを特徴とする情報処理方法。
【請求項９】
画像データを所定の用紙に印刷し、前記用紙に記録された情報に基づいて生成された解答データを出力する情報処理方法であって、
画像データを所定の用紙に印刷する印刷ステップと、
前記画像データが印刷された前記用紙に記録された文字およびマークの少なくともいずれか一方を読み取る読み取りステップと、
前記読み取りステップにおいて読み取られた前記文字およびマークの少なくともいずれかに基づいて解答データを生成するためのテンプレートを記憶するテンプレート記憶ステップと、
前記テンプレート記憶ステップにおいて記憶された前記テンプレートに基づいて前記解答データを生成する生成ステップと
を備えることを特徴とする情報処理方法。
【請求項１０】
画像データを出力し、前記画像データに対して付加された情報に基づいて生成された解答データを出力する情報処理装置を制御する情報処理プログラムであって、
画像データを出力する出力ステップと、
前記画像データに対して付加された情報を読み取る読み取りステップと、
前記読み取りステップにおいて読み取られた前記情報に基づいて解答データを生成するためのテンプレートを記憶するテンプレート記憶ステップと、
前記テンプレート記憶ステップにおいて記憶された前記テンプレートに基づいて前記解答データを生成する生成ステップと
を前記情報処理装置に実行させることを特徴とする情報処理プログラム。
【請求項１１】
画像データを所定の用紙に印刷し、前記用紙に記録された情報に基づいて生成された解答データを出力する情報処理装置を制御する情報処理プログラムであって、
画像データを所定の用紙に印刷する印刷ステップと、
前記画像データが印刷された前記用紙に記録された文字およびマークの少なくともいずれか一方を読み取る読み取りステップと、
前記読み取りステップにおいて読み取られた前記文字およびマークの少なくともいずれかに基づいて解答データを生成するためのテンプレートを記憶するテンプレート記憶ステップと、
前記テンプレート記憶ステップにおいて記憶された前記テンプレートに基づいて前記解答データを生成する生成ステップと
を前記情報処理装置に実行させることを特徴とする情報処理プログラム。
【発明の詳細な説明】
【０００１】
【発明の属する技術分野】
本発明は、情報処理装置に関し、特に、デジタル放送によって提供された情報を印刷するとともに、その情報の発信者との間で双方向の情報のやり取りを行う情報処理装置に関する。
【０００２】
【従来の技術】
従来のデジタル放送では、視聴者は受信装置のリモコン（リモートコントローラ）のボタンを操作して文字等のデジタル情報を入力していた。また、受信装置にキーボードが備えられている場合もあるが、一度紙媒体に印刷された情報は、そのままでは返信することができないため、同様の内容をキーボードを用いて入力するか、郵送するようにしていた。
また、講義番組と試験問題データを含むデジタル放送が受信されると、これに含まれる番組が視聴可能に再生され、デジタル放送に含まれる試験問題データに基づいて、問題が印刷出力され、印刷出力された問題に対する解答を送信すると、その採点結果が通知されるものがある（例えば、特許文献１参照）。
【０００３】
【特許文献１】
特開２００２−１４６０２号公報（図１）
【０００４】
【発明が解決しようとする課題】
しかしながら、受信装置のリモコンのボタンを操作して文字等のデジタル情報を入力する場合、複雑な情報を入力することは実質的には不可能であり、複雑な情報を扱うことができないという問題があった。また、受信装置にキーボードが備えられている場合でも、一度紙媒体に印刷された情報は、そのままでは返信することができず、同様の内容をキーボードを用いて入力するか、郵送する必要があり、面倒であるという問題があった。
また、特許文献１に記載の発明では、解答を受信装置の画面上で入力する必要があり、本試験と同様の形式で解答することができないという問題があった。
【０００５】
本発明はこのような状況に鑑みてなされたものであり、デジタル放送によって提供された情報を印刷するとともに、印刷された情報に基づいて手書き等によって作成した情報を情報提供者に対して返信することができるようにするものである。
【０００６】
【課題を解決するための手段】
本発明の情報処理装置は、画像データを出力し、前記画像データに対して付加された情報に基づいて生成された解答データを出力する情報処理装置であって、
画像データを出力する出力手段と、前記画像データに対して付加された情報を読み取る読み取り手段と、前記読み取り手段によって読み取られた前記情報に基づいて解答データを生成するためのテンプレートを記憶するテンプレート記憶手段と、前記テンプレート記憶手段によって記憶されている前記テンプレートに基づいて前記解答データを生成する生成手段とを備えることを特徴とするものである。これにより、出力された画像データに付加された情報を情報発信者に返信することができる。従って、様々な情報を返信することが可能となる。
また、本発明の情報処理装置は、画像データを所定の用紙に印刷し、前記用紙に記録された情報に基づいて生成された解答データを出力する情報処理装置であって、画像データを所定の用紙に印刷する印刷手段と、前記画像データが印刷された前記用紙に記録された文字およびマークの少なくともいずれか一方を読み取る読み取り手段と、前記読み取り手段によって読み取られた前記文字およびマークの少なくともいずれかに基づいて解答データを生成するためのテンプレートを記憶するテンプレート記憶手段と、前記テンプレート記憶手段によって記憶されている前記テンプレートに基づいて前記解答データを生成する生成手段とを備えることを特徴とするものである。これにより、印刷された用紙に手書きで記入した情報を情報発信者に返信することができる。従って、キーボードを用いることなく、より複雑な情報を返信することが可能となる。
また、前記画像データを記憶する画像データ記憶手段をさらに備えるようにすることができる。これにより、複数の画像データを記憶した後、印刷処理に移行することができる。
また、前記画像データおよび所定のＵＲＬ情報を受信する受信手段と、前記受信手段によって受信された前記ＵＲＬ情報に基づいて所定のサーバにネットワークを介してアクセスし、前記サーバから前記ネットワークを介して前記画像データを取得する画像取得手段と、前記サーバに前記ネットワークを介して前記解答データを返信する返信手段とをさらに備えるようにすることができる。これにより、受信データ量を削減するとともに、ネットワークを介してデータの授受を行うことができる。
また、前記用紙の画像を取り込み、前記画像に対応するイメージデータを出力する画像取り込み手段をさらに備えるようにすることができる。これにより、手書きにより記入した情報をデジタルのデータに変換することができる。
また、前記返信手段は、前記解答データを前記サーバに返信したとき、前記サーバから時刻情報を受け取り、前記時刻情報で表される時刻に前記サーバの所定のＵＲＬにアクセスし、前記解答データに対応する結果情報を取得するようにすることができる。これにより、指定された時刻に確実に結果情報を取得することができる。
また、前記返信手段は、前記解答データを前記サーバに返信したとき、前記サーバから時系列情報を受け取り、前記時系列情報で表される順番に前記サーバの所定のＵＲＬにアクセスし、前記解答データに対応する結果情報を取得するようにすることができる。これにより、指定された順番に確実に結果情報を取得することができる。
本発明の情報処理方法は、画像データを出力し、前記画像データに対して付加された情報に基づいて生成された解答データを出力する情報処理方法であって、画像データを出力する出力ステップと、前記画像データに対して付加された情報を読み取る読み取りステップと、前記読み取りステップにおいて読み取られた前記情報に基づいて解答データを生成するためのテンプレートを記憶するテンプレート記憶ステップと、前記テンプレート記憶ステップにおいて記憶された前記テンプレートに基づいて前記解答データを生成する生成ステップとを備えることを特徴とするものである。これにより、出力された画像データに付加された情報を情報発信者に返信することができる。従って、様々な情報を返信することが可能となる。
本発明の情報処理方法は、画像データを所定の用紙に印刷し、前記用紙に記録された情報に基づいて生成された解答データを出力する情報処理方法であって、画像データを所定の用紙に印刷する印刷ステップと、前記画像データが印刷された前記用紙に記録された文字およびマークの少なくともいずれか一方を読み取る読み取りステップと、前記読み取りステップにおいて読み取られた前記文字およびマークの少なくともいずれかに基づいて解答データを生成するためのテンプレートを記憶するテンプレート記憶ステップと、前記テンプレート記憶ステップにおいて記憶された前記テンプレートに基づいて前記解答データを生成する生成ステップとを備えることを特徴とするものである。これにより、印刷された用紙に手書きで記入した情報を情報発信者に返信することができる。従って、キーボードを用いることなく、より複雑な情報を返信することが可能となる。
本発明の情報処理プログラムは、画像データを出力し、前記画像データに対して付加された情報に基づいて生成された解答データを出力する情報処理装置を制御する情報処理プログラムであって、画像データを出力する出力ステップと、前記画像データに対して付加された情報を読み取る読み取りステップと、前記読み取りステップにおいて読み取られた前記情報に基づいて解答データを生成するためのテンプレートを記憶するテンプレート記憶ステップと、前記テンプレート記憶ステップにおいて記憶された前記テンプレートに基づいて前記解答データを生成する生成ステップとを前記情報処理装置に実行させることを特徴とするものである。これにより、出力された画像データに付加された情報を情報発信者に返信することができる。従って、様々な情報を返信することが可能となる。
本発明の情報処理プログラムは、画像データを所定の用紙に印刷し、前記用紙に記録された情報に基づいて生成された解答データを出力する情報処理装置を制御する情報処理プログラムであって、画像データを所定の用紙に印刷する印刷ステップと、前記画像データが印刷された前記用紙に記録された文字およびマークの少なくともいずれか一方を読み取る読み取りステップと、前記読み取りステップにおいて読み取られた前記文字およびマークの少なくともいずれかに基づいて解答データを生成するためのテンプレートを記憶するテンプレート記憶ステップと、前記テンプレート記憶ステップにおいて記憶された前記テンプレートに基づいて前記解答データを生成する生成ステップとを前記情報処理装置に実行させることを特徴とするものである。これにより、印刷された用紙に手書きで記入した情報を情報発信者に返信することができる。従って、キーボードを用いることなく、より複雑な情報を返信することが可能となる。
【０００７】
【発明の実施の形態】
図１は、本発明の情報処理装置を応用したデジタル放送受信装置の一実施の形態の構成例を示すブロック図である。同図に示すように、デジタル放送受信装置３００は、図示せぬアンテナ等で受けた電波に対応するデジタル放送信号を入力端子１９を介して受信し、所定のチャンネルを選局し、選局したチャンネルのデジタル放送信号を出力する放送信号受信部１１と、放送信号受信部１１によって受信されたデジタル放送信号からＵＲＬ（ｕｎｉｆｏｒｍ  ｒｅｓｏｕｒｃｅ  ｌｏｃａｔｏｒ）情報および画像ファイルデータの少なくともいずれか一方を取得し、ＵＲＬ情報を取得した場合、そのＵＲＬ情報に対応するサイトを提供するサーバ１００から画像ファイルデータを取得する画像取得部１３と、画像取得部１３によって取得された画像ファイルデータを記憶するハードディスク装置（ＨＤＤ：ｈａｒｄ  ｄｉｓｋ  ｄｒｉｖｅ）１４と、画像取得部１３より供給された画像ファイルデータを所定の用紙に印刷して解答用紙３１として発行する印刷部２１と、ユーザによって文字やマークが記入された解答用紙３１を読み取り、解答用紙３１の画像に対応するイメージデータを出力するスキャナ１７と、スキャナ１７から出力されたイメージデータから文字を認識して読み取り、対応する文字コードデータを出力する文字読み取り部２２と、スキャナ１７から出力されたイメージデータからマークを認識して読み取り、対応するデータを出力するマーク読み取り部２３と、文字読み取り部２２およびマーク読み取り部２３から出力されたデータを入力し、このデータと、テンプレート記憶部２５から読み出した所定のテンプレートに基づいて解答データを生成する解答データ生成部２４と、放送信号受信部１１によって受信された放送信号および解答データ生成部２４によって生成された解答データをビデオ信号に変換し、出力端子２０から出力する表示制御部１２と、解答データ生成部２４によって生成された解答データを入力し、この解答データをサーバ１００に送信してもよいか否かを問い合わせる確認入力部１５と、確認入力部１５に対して解答データの送信を指示するための確認ボタン１８と、確認入力部１５から供給された解答データをサーバ１００に送信する解答データ送信部１６とから構成されている。
【０００８】
表示制御部１２は、ＢＭＬ（Ｂｒｏａｄｃａｓｔ  Ｍａｒｋｕｐ  Ｌａｎｇｕａｇｅ）ブラウザのみ、またはＢＭＬブラウザとＨＴＭＬ（ｈｙｐｅｒｔｅｘｔｍａｒｋｕｐ  ｌａｎｇｕａｇｅ）ブラウザを備えており、ＢＭＬ形式またはＨＴＭＬ形式のフォーマットで生成された解答データを表示するためのビデオ信号を出力するようになっている。また、画像ファイルデータのフォーマットは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）、ＧＩＦ（Ｇｒａｐｈｉｃｓ  Ｉｎｔｅｒｃｈａｎｇｅ  Ｆｏｒｍａｔ）、ＴＩＦＦ（Ｔａｇ  Ｉｍａｇｅ  Ｆｉｌｅ  Ｆｏｒｍａｔ）等とすることができる。
【０００９】
また、印刷部２１、文字読み取り部２２、マーク読み取り部２３、解答データ生成部２４、およびテンプレート記憶部２５は、プリンタ４００を構成している。
【００１０】
次に、本実施の形態の動作について説明する。放送信号受信部１１は、入力端子１９から入力されたデジタル放送信号を受信すると、図示せぬリモコン等によって設定された所定のチャンネルを選局し、選局したチャンネルのデジタル放送信号を画像取得部１３に供給する。このデジタル放送信号には、画像ファイルデータまたは画像ファイルデータが格納されているサーバ１００のＵＲＬ情報が含まれている。
【００１１】
画像取得部１３は、放送信号受信部１１から供給されたデジタル放送信号に画像ファイルデータが含まれるか否かを判定し、画像ファイルデータが含まれる場合、その画像ファイルデータを直接印刷部２１に供給するか、または、一旦ＨＤＤ１４に供給して記憶させる。一方、デジタル放送信号に画像ファイルデータが含まれておらず、画像ファイルデータが格納されているサーバ１００のＵＲＬ情報が含まれる場合、そのＵＲＬにネットワーク２００を介してアクセスし、サーバ１００から画像ファイルデータをダウンロードして取得する。取得した画像ファイルデータは、印刷部２１またはＨＤＤ１４に供給される。
【００１２】
印刷部２１は、画像取得部１３から供給された画像ファイルデータ、または、ＨＤＤ１４から供給された画像ファイルデータを所定の用紙に印刷し、解答用紙３１として出力する。この解答用紙３１は、例えば、選局したチャンネルがＴＯＥＩＣ等の模擬試験をデジタル放送で提供するものである場合、図２に示すように、その模擬試験に対する解答をマークシート形式で記入するマークシート部３０１と、解答を文字で記入する文字記入部３０２とから構成されている。
【００１３】
ユーザは、印刷部２１によって印刷された解答用紙３１に、模擬試験の答えに対応するマークおよび文字を記入する。その後、ユーザは、解答用紙３１をスキャナ１７にセットして解答用紙３１を読み取らせる。スキャナ１７によって読み取られた解答用紙３１の画像に対応するイメージデータは、文字読み取り部２２およびマーク読み取り部２３に供給される。
【００１４】
文字読み取り部２２は、スキャナ１７から供給されたイメージデータから、解答用紙３１の文字記入部３０２に記入された文字を認識し、対応する文字コードを解答データ生成部２４に供給する。マーク読み取り部２３は、解答用紙３１のマークシート部３０１に記入されたマークを認識し、そのマークに対応する番号等のデータを解答データ生成部２４に供給する。
【００１５】
解答データ生成部２４は、文字読み取り部２２から供給された文字コードと、マーク読み取り部２３から供給されたマークに対応する番号等のデータに基づいて、所定のフォーマットの解答データを生成する。このとき、テンプレート記憶部２５に記憶されているテンプレートを適宜読み出し、そのテンプレートに対応するフォーマットの解答データを生成する。生成された解答データは、表示制御部１２に供給される。
【００１６】
解答データ生成部２４は、ＢＭＬ形式またはＨＴＭＬ形式の解答データを生成することができるようになっており、いずれの形式の解答データを生成するかは、表示制御部１２がＢＭＬブラウザおよびＨＴＭＬブラウザのいずれを搭載しているかによって決定することができる。すなわち、表示制御部１２がＢＭＬブラウザのみを搭載している場合、ＢＭＬ形式の解答データを生成し、表示制御部１２がＢＭＬブラウザとＨＴＭＬブラウザを搭載している場合、ＨＴＭＬ形式の解答データを生成する。
【００１７】
解答データ生成部２４において生成された解答データが表示制御部１２に供給されると、解答データの形式に応じて、表示制御部１２のＢＭＬブラウザまたはＨＴＭＬブラウザにより表示画面が作成される。その後、この表示画面に対応するビデオ信号が生成され、出力端子２０より出力される。出力端子２０には図示せぬモニタが接続されており、このビデオ信号に対応する画面、すなわち、ユーザがマークや文字を記入した解答用紙３１の内容を表す画面が表示される。
【００１８】
解答データ生成部２４によって生成された解答データは、確認入力部１５にも供給される。確認入力部１５には、確認ボタン１８が接続されており、確認ボタン１８を構成する「ＯＫボタン」が押されたとき、送信しても良いことを示す確認信号が供給される。一方、確認ボタン１８を構成する「ＮＧボタン」が押されたとき、再印刷または再スキャンが必要であることを示す確認信号が供給される。ユーザは、先に記入した解答用紙３１の内容をモニタ上で確認し、間違いがない場合、確認ボタン１８の「ＯＫボタン」を押す。
【００１９】
確認入力部１５は、確認ボタン１８の「ＯＫボタン」が押されたことを示す確認信号が供給されると、解答データ生成部２４から供給された解答データを解答データ送信部１６に供給する。解答データ送信部１６は、確認入力部１５より供給された解答データを、ネットワーク２００を介してＦＴＰ（ｆｉｌｅ  ｔｒａｎｓｆｅｒ  ｐｒｏｔｏｃｏｌ）等によりサーバ１００の所定の場所に送信する。サーバ１００は、上記模擬試験を実施している委託放送事業者が設置しているものである。一方、確認入力部１５は、確認ボタン１８の「ＮＧボタン」が押されたことを示す確認信号が供給されると、再印刷または再スキャンが必要であるとみなし、解答データ生成部２４から供給された解答データを解答データ送信部１６には供給しない。
【００２０】
サーバ１００は、解答データ送信部１６から送信されてきた解答データを受け取ると、採点を行い、採点結果を所定のＵＲＬにおいてユーザに提供する。予め、ユーザ毎に時刻とＵＲＬを決めておけば、ユーザは画像取得部１３を用いてその時刻以降にそのＵＲＬにアクセスすることにより、採点結果を得ることができる。
【００２１】
また、解答データをサーバ１００に送信したとき、この解答データに対してサーバ１００から返送されてきた時刻情報を受け取り、その時刻情報で示される時刻に所定のＵＲＬにアクセスし、採点結果を得るようにすることもできる。或いは、デジタル放送信号に時刻情報を含ませるようにし、画像取得部１３が時刻情報を抽出して印刷部２１に送信し、印刷部２１が時刻情報で表された時刻を印刷するようにしてもよい。さらに、サーバ１００から受け取った時刻情報をＨＤＤ１４に記憶させておき、その時刻になると画像取得部１３が自動的に所定のＵＲＬにアクセスし、採点結果を得るようにすることもできる。
【００２２】
また、解答データをサーバ１００に送信するとき、個人を特定するための個人識別データを解答データとともに送信するようにすれば、サーバ１００は、解答データを送信した個人を特定することができる。この個人識別データは、解答用紙３１に手書きで記入し、文字読み取り部２２に認識させるようにしてもよいし、印刷部２１が解答用紙３１を印刷するときに個人識別情報を表すバーコードを印刷し、バーコードの画像データをサーバ１００に送信するようにしてもよい。サーバ１００は、バーコードの画像データが送信されてきた場合、そのバーコードによって記録された個人識別情報を読み取ることにより、解答データを送信したユーザを特定する。
【００２３】
次に、図３を参照して、本発明の他の実施の形態について説明する。図３の実施の形態のチューナ５００は、図１の実施の形態の放送信号受信部１１、画像取得部１３、表示制御部１２、確認入力部１５、確認ボタン１８、ハードディスク装置１４、解答データ送信部１６、およびメモリカード４１に対するデータの書き込みおよび読み込みを行うメモリカードアクセス部等により構成されている。
【００２４】
チューナ５００は、受信したデジタル放送信号に解答用紙３１の画像に対応する画像ファイルデータが含まれる場合、その画像ファイルデータをメモリカード４１に書き込む。一方、デジタル放送信号に画像ファイルデータが置かれているＵＲＬ情報が含まれる場合、ネットワーク２００を介してそのＵＲＬにアクセスし、画像ファイルデータを取得する。そして、取得した画像ファイルデータをメモリカードアクセス部を介してメモリカード４１に書き込む。
【００２５】
メモリカード４１に書き込まれた画像ファイルデータは、プリンタ４００のメモリカードアクセス部４２を介して読み込まれ、印刷部２１に供給される。印刷部２１は、この画像ファイルデータを所定の用紙に印刷し、解答用紙３１として発行する。
【００２６】
図１の実施の形態の場合と同様に、ユーザは、解答用紙３１に所定の事項を記入し、スキャナ１７に読み取らせる。スキャナ１７によって読み取られた解答用紙３１の画像に対応するイメージデータは、文字読み取り部２２およびマーク読み取り部２３に供給され、文字読み取り部２２によって解答用紙３１の文字記入部３０２に記入された文字が認識され、その文字に対応する文字コードが解答データ生成部２４に供給される。また、マーク読み取り部２３によって解答用紙３１のマークシート部３０１に記入されたマークが読み取られ、マークによって表される番号等のデータが解答データ生成部２４に供給される。
【００２７】
解答データ生成部２４は、文字読み取り部２２より供給された文字コードと、マーク読み取り部２３より供給された番号等のデータとを、テンプレート記憶部２５から読み出した所定のテンプレートに流し込み、所定のフォーマットの解答データを生成する。このとき、チューナ５００が搭載するブラウザに合わせて、解答データをＢＭＬ形式、またはＨＴＭＬ形式のデータとして生成することができる。
【００２８】
生成された解答データは、メモリカードアクセス部４２を介してメモリカード４１に書き込まれる。このメモリカード４１に記録された解答データは、チューナ５００のメモリカードアクセス部によって読み込まれ、チューナ５００に取り込まれる。チューナ５００は、メモリカード４１から取り込んだ解答データをビデオ信号に変換して表示装置６００に供給し、表示させる。
【００２９】
ユーザは、表示装置６００に表示された解答データの画像を確認し、間違いがない場合、チューナ５００の確認ボタン１８の「ＯＫ」ボタンを押す。一方、間違いがある場合、「ＮＧ」ボタンを押す。チューナ５００は、「ＯＫ」ボタンが押されたとき、解答データをネットワーク２００を介してサーバ１００に送信する。一方、「ＮＧ」ボタンが押されたとき、解答用紙３１の再読み込みまたは再スキャンが必要であるとし、解答データのサーバ１００への送信は行わない。
【００３０】
このように、図３に示した実施の形態は、メモリカード４１を用いてチューナ５００とプリンタ４００間で画像ファイルデータや解答データの授受を行うことができるという点で、図１に示した実施の形態とは異なる。その他の構成および動作は、図１に示した実施の形態の場合と同様であるので、その説明は省略する。
【００３１】
なお、上記実施の形態においては、模擬試験の解答用紙３１の画像ファイルデータを含むデジタル放送信号を受信する場合について説明したが、アンケート用紙や懸賞の応募用紙、或いは、広告に連動して、店の地図、詳細情報、クーポン券等の画像ファイルデータを含むデジタル放送信号を受信する場合にも適用することができる。
【００３２】
また、上記実施の形態では、解答用紙３１に画像ファイルデータを印刷するようにしたが、画像ファイルデータをデータ情報として出力するようにすることもできる。その場合、その画像ファイルデータに対して文字やマーク等に対応するデータをパソコン等を用いて付加するようにすることができる。
【００３３】
また、上記実施の形態では、時刻情報を受け取り、その時刻情報で示される時刻に所定のＵＲＬにアクセスするようにしたが、時系列情報を受け取り、その時系列情報に基づいて、予め決められた順番に所定のＵＲＬにアクセスするようにすることもできる。
【００３４】
また、上記実施の形態の構成及び動作は例であって、本発明の趣旨を逸脱しない範囲で適宜変更することができることは言うまでもない。
【図面の簡単な説明】
【図１】本発明の一実施の形態の構成例を示すブロック図。
【図２】解答用紙のフォーマット例を示す図である。
【図３】本発明の他の実施の形態の構成例を示すブロック図。
【符号の説明】
１１  放送信号受信部、１２  表示制御部、１３  画像取得部、１４  ハードディスク（ＨＤＤ）、１５  確認入力部、１６  解答データ送信部、１７  スキャナ、１８  確認ボタン、１９  入力端子、２０  出力端子、２１  印刷部、２２  文字読み取り部、２３  マーク読み取り部、２４  解答データ生成部、２５テンプレート記憶部、３１  解答用紙、４１  メモリカード、１００  サーバ、  ２００  ネットワーク、３００  デジタル放送受信装置、４００  プリンタ、５００  チューナ、６００  表示装置
【図１】
2004287206.tif 000003
【図２】
2004287206.tif 000004
【図３】
2004287206.tif 000005